(57)【要約】【課題】  従来の凍結又は圧雪路を安全に歩行するための滑り止め具は、肝心の滑り止め効果に問題のあるものが多く、構造が複雑化するに伴いコストがかかり、尚且つ壊れ易い問題もある。従って、より安全を確保でき安価に提供できる靴用滑り止め具を提供することが課題となる。【解決手段】  つる巻バネの中にゴム紐を通して成る単体或いは複数体を靴底に、前記つる巻バネの側面が当接するように、前記ゴム紐を靴に通して固定する滑り止め具として課題を解決するものである。【選択図】      図４
2006297043.tif 000002
【特許請求の範囲】
【請求項１】
側面に作用する人体に因る荷重に対して容易に変形しない程度に、線形、外径、巻数を定める適宜素材により形成する蔓巻バネの内部に弾性を有する素材により形成する紐を通し、バネと紐を一体化した単体の、該単体或いは複数体を靴に、前記紐で巻きつけて固定する靴用滑り止め器具。
【請求項２】
前記蔓巻バネの両端部に靴底面への固定手段を施して成る請求項１記載の靴用滑り止め器具。
【発明の詳細な説明】
【技術分野】
【０００１】  本発明は凍結路或いは圧雪路における靴用の滑り止め器具に関するものである。
【背景技術】
【０００２】  従来より、冬期間の降雪地における凍結或いは圧雪路を安全に歩行するための様々な滑り止め器具が提案され実用に供されている。靴底面に特殊な凹凸面を設けたもの、先端が尖っている金具を靴底面に直接埋め込んだもの、ゴム状の平板に鋲やセラミック或いはガラス繊維等を施し靴に装着して使用するもの、水分を吸収し易い繊維を靴底に被せて一時的に滑りを防止する方法等が一般的に実施されている。他に、円錐状の螺旋バネ或いは蔓巻バネを靴底に施したものも知られている。【０００３】
【特許文献１】    特開２００４−２７５６７６号公報
【特許文献２】    特開２００２−３１６５２１号公報
【発明の開示】
【発明が解決しようとする課題】
【０００４】  旧くは、ゴム長靴に縄等を巻き付けて凍結或いは圧雪路における滑り止めとしての用を足していたように、この問題を解決することが積雪寒冷地における切実な課題と成っている事であり、従って前述の用に様々な器具が提案されている。現在公知されている滑り止め具にあって、金具或いは鋲のように先端部が尖っている凸部を靴底に設けるものは、突起面が浅く且つ接触面積が小さいことから、人体の荷重によってその先端部のみに滑り防止を依存することが、場合によっては形状の複雑な氷面などにおいて逆に転倒の原因にもなりかねないものとなり、又先端部が磨耗して丸みを帯びてくるときには硬い凍結路面で滑りを増長させることもあり、金具や鋲に雪が固着し易く、それに因る転倒の惧もある。更に、雪の無い舗装道路や屋内では破損の原因ともなり脱離を余儀なくされ、従って着脱できる何らかの方法が講じられるために構造が複雑となりコストが要かり使用場所も限定される問題がある。【０００５】  円錐状螺旋バネを施す滑り止め具は、バネを靴底面に取り付け、その伸縮方向で人体の荷重を受けて使用するものであり、冬場の作業に従事している作業者には適していると言えるが旅行者や一般方向者には不向きである。
蔓巻バネを自動車のタイヤに組み込んだ滑り止め具も靴底に施し人間の歩行に適用するには複雑な構成にならざるを得ない。
水分を吸収し易い繊維等を靴底に施すものでは、水分の吸収できる量に限界がある以上は一時的な効果しか期待できない。
従って、より安易に利用でき効果の高い靴用の滑り止め具が要望されていることに応え得る滑り止め器具を提供することが本発明の課題となる。
【課題を解決するための手段】
【０００６】  本発明における基本的技術思想は、蔓巻バネを、そのバネ本来の弾性を単に利用する伸縮方向に使用することだけではなく、蔓巻バネの弾性以外に湾曲性と側面方向における線材の連続性を利用しバネの側面に力が作用するように構成することである。
即ち、側面に作用する人体の荷重に対して容易に変形しない程度に線形、外径、巻数を定める、その連続する線材で歩行時の進行方向と横方向における摩擦抵抗と撓み易い特性を生かす蔓巻バネの内部に、ゴム等の弾性を有する素材で形成する紐を通しバネ付バンドの単体を形成して課題を解決するものである。
バンドを伸ばしながら蔓巻バネの側面が靴底面に沿って接するように靴に巻き付けて使用するものであり、この単体を単独で或いは複数個靴底に固定し、更には、蔓巻バネの両端側一巻分を横に折り曲げて靴底への固定を確たるものとする等の適宜固定手段を形成してバネのズレを防止することで更に確実な器具として解決を図るものである。
【発明の効果】
【０００７】  滑り止め体として蔓巻バネを、その側面が靴底面に接し圧縮方向が水平方向になるように配置するので、凍結或いは圧雪路面に対して点接触ではなく線接触となって縦横両方向への滑り止め効果が高いものとなる。【０００８】  更に、蔓巻バネで圧雪を踏みつけることによってバネが埋没し安定状態を保ち、凹凸面状の氷面ではバネが螺旋状に連続しているので荷重が分散されながら伸縮自在に対応し安全が確保される。【０００９】  弾性を有するゴム等の紐を使用して一定の張力で固定でき、歩行の度に蔓巻バネ内部のゴム紐が弾力に拠り、路面形状或いは雪面への嵌りこみなどにより変形伸長されて、それが弾力復帰する上下動を繰り返して雪を払い落とし、バネに雪が固着して転倒する事故を防止でき、どのような状況の雪道にも対応が可能で常時装着することも出来て快適な歩行が期待される。【００１０】  又、蔓巻バネの両端に固定手段を施すものにあっては、歩行方向へのバネの回転を制限し紐が靴から離脱することが無く安心して使用できる。加えて、極めて簡単な構成で実施できるので低コストで提供でき携帯、着脱も容易である。
雪の無い舗装道路や屋内を歩く時には、バネが接触面に荷重することで程好い摩擦が生じて転倒の惧は生じないが、容易に取り外す事も出来る。
【発明を実施するための最良の形態】
【００１１】  耐食性を考慮して、ステンレス鋼材の線材で形成する蔓巻バネを用い、その両端の一巻部を略直角に折り曲げ、弾性材で形成する紐として帯状の平輪ゴムを前記蔓巻バネ内に通して単体を構成し使用する場合が最も単純な構造での実施形態となるものである。
【実施例】
【００１２】  以下、本発明の実施の形態について、図面に示す実施例に基づいて説明する。
図１には最も簡単な例としての単体を示してあり、靴幅より短い長さの蔓巻バネ１の内部に輪ゴム紐２を通したものである。輪ゴム紐２を蔓巻バネ１の螺旋に沿って回しながら進めることで容易に蔓巻バネ１内に輪ゴム紐２を通すことができる。この実施例にあっては、靴前部の周囲の長さよりも小さい径の輪ゴム紐２を拡げて靴前部に通し、蔓巻バネ１の側面を靴底に当接させて直線的に横向きに配置固定して使用することになる。この実施例による単体を個別に間隔を置いて複数列にして使用することで路面との接触感触を和らげることも可能である。【００１３】  図２は、蔓巻バネ１の両端の一巻部を略直角に倒した固定部３を設け、両端部に互いにかみ合うフック５ｂを結合手段として設ける帯状の平ゴム紐２を蔓巻バネ１に通して一体化した単体を示したものである。
図３は、固定部３の他の実施例を示すものであるが、この例では蔓巻バネ１の端部に靴底に接する面積が広くなるように形成する中空の平板３ａを結合して固定部３を成し図２と同様の単体を構成するものである。この場合、固定部３の形状、構造は平板をバネに結合するものに限るものではなく、図示はしないが、リング状板、線材で形成する渦巻板等の選択は設計上の問題となる。【００１４】  図４は、図２における単体の使用状態を示したものである。靴４の底面に靴幅より小さい長さの蔓巻バネ１を直線状のままに横向きに側面が接するように配置し、蔓巻バネ１の一端側の固定部３から蔓巻バネ１の内部に通し、他端側固定部３から引き出す平ゴム紐２を引っ張りながら靴４の上面で紐端部のフック５ｂで強固に結合させて使用するものである。【００１５】  図５は、蔓巻バネ１を湾曲させて用いる使用例であり、全長が比較的長い蔓巻バネ１の両端部が略同一位置になるように湾曲させて輪状にして靴４底に配置し、蔓巻バネ１の端部から延長しているゴム紐２と別に設ける、輪状の蔓巻バネ１の湾曲部に通すゴム紐２の二本の紐によって靴４の上面二箇所で固定するものである。【００１６】  図６は、三個の単体が三角形状に靴４底面に配置固定する使用例であり、各々のゴム紐２に拠り靴４上面の二箇所で固定するものである。装着する場合は、それぞれ隣接する二個の蔓巻バネ１の端部に共有してゴム紐２を通し、二本のゴム紐２に拠り靴４上面の二箇所でゴム紐２の両端に施す面ファスナー３ａにより固定するものである。【００１７】  以上、本発明における実施例に基づいて説明したが、蔓巻バネ１は、側面に作用する人体の荷重に対して容易に変形しない且つ外径のそれ程大きくない線径、巻数、外径のものを選択的に使用することによって、蔓巻バネ１の側面で多くの雪を捉え、どのような氷面においても力が一応に分散されるように同径の直線状のものが使用され、特に耐食性を考慮してステンレス線材で形成されることが望ましいが、勿論ステンレス鋼以外の金属製のバネでも良くその選択は設計上の問題である。
又、使用する靴の種類によらずに対応出来る蔓巻バネ１の形状、構造を設定し、単体或いは複数体を用いるもので、蔓巻バネ１の形状は円形以外に、三角形或いは四角形などの異形での実施もその選択は自由であり、側面に沿って一箇所或いは数箇所を折り曲げた形状での実施も可能である。【００１８】  本発明における弾性を有する紐は、どのような素材によっても実施可能、例えば金属線材を螺旋状に巻いて成形する弾性紐等により可能であるが、弾性材として望ましいのは比較的強度のあるゴム紐であり、中でも平型の帯状のものが良いが、丸型のものを数本束ね合わせた紐でも、組紐等どのような紐でも実施可能である。ゴムの材質は天然ゴムでも合成ゴムでも構わないが、耐寒性、耐候性、機械的強度等を考慮してクロロプレン、ニトリル系等の合成ゴムが望ましい。
更に、紐２の端部に設ける結合手段として図示の面ファスナー、フック以外の止金具穴等の使用或いは穴開きベルトタイプ等で紐を構成するなど、その選択は自由である。
又、蔓巻バネ１おける固定部３も、図示の端部一巻を略直角に折り曲げて形成する以外に曲げた部分の線材をＵ字状に折り曲げるもの等、要するに蔓巻バネ１の回転を防ぎ、靴底にフィットできるものを蔓巻バネ１の両端に設けること等の設計変更は自由である。【００１９】  以上説明したように、本発明は、蔓巻バネの特性側面方向の連続性を生かして凍結路面或いは圧雪路面での線接触で縦横両側へ滑ることを防ぎ得る簡単な靴用滑り止め器具とするものであり、単体で使用しても複数個を靴底の別々の位置に取り付けても或いは組み合わせて設けることも自由である。踵部に相当する靴底への取り付けも紐数を増し靴の足首部に廻して固定しても使用可能である。
【図面の簡単な説明】
【００１９】
【図１】  一実施例を示す単体の外観図である。
【図２】  他の実施例を示す外観図である。
【図３】  固定部の実施例を示す部分外観図である。
【図４】  他の使用状態を示す外観図である。
【図５】  更に他の実施例を示す外観図である。
【図６】
【符号の説明】
【００２０】  １    蔓巻バネ
２    ゴム紐
３    固定部
４    靴
５ａ    面ファスナー
５ｂ    フック
【図１】
2006297043.tif 000003
【図２】
2006297043.tif 000004
【図３】
2006297043.tif 000005
【図４】
2006297043.tif 000006
【図５】
2006297043.tif 000007
【図６】
2006297043.tif 000008